(57)【要約】 【課題】  遠隔位置の回転留め具を、破損させてしまうことなく、絶縁性を確保しつつ回転させる緊締・解除作業を実現することにより、高電圧機器に対する作業を容易化することのできる回転道具を提供する。【解決手段】  電柱に設置されているトランスの雄ねじ部に捩じ込むようにブッシングを回転させる回転道具であって、ブッシングの外周面を包むように内装して圧接するゴム材料の圧接カップ１１と、この圧接カップ１１を装着する外装カップ１２と、絶縁棒の先端部が取り付けられるジョイント１３とを備えるカップ１０を有して、このカップ１０内に内装するブッシングの回転軸と絶縁棒の延長方向が一致するように、その絶縁棒の先端に圧接部を取り付ける。【選択図】      図１
2006006018.tif 000002
【特許請求の範囲】
【請求項１】
遠隔位置に設置されている機器の端子部に捩じ込むように回転留め具を回転させる回転道具であって、
回転留め具の回転軸を中心にする外周面を包むように内装するとともに当該外周面には弾性材料が圧接する圧接部と、該圧接部を遠隔位置の回転留め具に外装可能に先端に取り付けられる絶縁棒と、を備えて、
内装する回転留め具の回転軸と絶縁棒の延長方向が一致するように該絶縁棒の先端に圧接部を取り付けたことを特徴とする回転道具。
【請求項２】
前記圧接部の少なくとも回転留め具の外面に圧接する部分は、滑りを制限する材料により構成されていることを特徴とする請求項１に記載の回転道具。
【請求項３】
前記圧接部は、回転留め具の外周面に略一致する内周面を有して、該回転留め具の外周面に相対回転不能に嵌まり込むことを特徴とする請求項１または２に記載の回転道具。
【請求項４】
前記圧接部の内周面は、回転留め具を内装可能な入口側から該回転留め具よりも小さな底側に向かって徐々に狭くなるように傾斜する傾斜面に形成されていることを特徴とする請求項１から３のいずれかに記載の回転道具。
【請求項５】
前記圧接部の内周面には、回転留め具を内装可能な入口側から該回転留め具よりも小さな底側に向かって徐々に狭く傾斜する傾斜リブが複数形成されていることを特徴とする請求項１から３のいずれかに記載の回転道具。
【発明の詳細な説明】
【技術分野】
【０００１】
本発明は、回転道具に関し、詳しくは、破損し易い回転留め具を遠隔位置から回転させることのできるものに関する。
【背景技術】
【０００２】
従来より、例えば、図６に示すように、電柱１１１の上部に設置されたトランス１１２に電線Ｄを接続する際には、そのトランス１１２側の雄ネジ部（端子部）に、所謂、ブッシング（回転留め具）１００Ａの雌ネジ部を螺合させることが多用されている。このブッシング１００Ａは、トランス１１２には高電圧電流が流れていることから、導電材料が露出する状態にならないように、絶縁材料により覆われた状態に作製するのが一般的である。例えば、高電圧箇所に用いるブッシングは、陶磁器により外装された状態にされている（例えば、特許文献１、２参照）。
【特許文献１】特開２００３−３０９９２４号公報
【特許文献２】特開２００４−  ４０８４９号公報
【発明の開示】
【発明が解決しようとする課題】
【０００３】
しかしながら、このようなブッシング１００Ａの外装面の陶磁器は、非常に脆い材質であることから、従来には、ゴム手袋等を用いて緊締・解除する作業を行っていたが、近年の作業上の安全性の確保という観点から遠隔位置から作業する間接活線工法を採用する必要がある。そのために、例えば、所謂、パイプレンチやモンキースパナなどの金属材料からなる道具を絶縁棒に取り付けて遠隔位置から回動させて緊締・解除しようとすると、欠けてしまう虞があった。
【０００４】
また、このようなブッシング１００Ａは、パイプレンチなどを用いる際には、手元で直接噛み合わせる状態にして回転させる必要があり、電柱１１１の上部に設置されているトランス１１２では、バケットなどの高所作業用の大掛かりな装置が必要になる。しかし、高所作業用の装置を使用するのは大変であり、狭い作業スペースで使用できない場合もある。
【０００５】
さらに、このトランス１１２は、高電圧電流が流れていることから、このブッシング１００Ａを回転させるためには、電力供給を止めるか、絶縁用保護具を着用する必要がある。しかし、絶縁用保護具を着用するまでもなく遠隔位置から安全に作業することができる方が望ましい。
【０００６】
そこで、本発明は、遠隔位置の回転留め具を、破損させてしまうことなく、絶縁性を確保しつつ回転させる緊締・解除作業を実現することにより、高電圧機器に対する作業を容易化することのできる回転道具を提供することを目的とする。
【課題を解決するための手段】
【０００７】
上記課題を解決する回転道具の第１の発明は、遠隔位置に設置されている機器の端子部に捩じ込むように回転留め具を回転させる回転道具であって、回転留め具の回転軸を中心にする外周面を包むように内装するとともに当該外周面には弾性材料が圧接する圧接部と、該圧接部を遠隔位置の回転留め具に外装可能に先端に取り付けられる絶縁棒と、を備えて、内装する回転留め具の回転軸と絶縁棒の延長方向が一致するように該絶縁棒の先端に圧接部を取り付けたことを特徴とするものである。
【０００８】
この発明では、絶縁棒の先端の圧接部を回転留め具に被せて、その絶縁棒を延長方向に付勢しつつ回転させることにより、圧接部の弾性材料を回転留め具の外周面に均等に押し付けて圧接させつつ、その回転留め具を回転させることができる。したがって、回転留め具は、一部に応力が集中して破損してしまうことなく、絶縁棒を介して圧接部の回転により回転軸を中心に圧接回転される。
【０００９】
上記課題を解決する回転道具の第２の発明は、上記第１の発明の特定事項に加え、前記圧接部の少なくとも回転留め具の外面に圧接する部分は、滑りを制限する材料により構成されていることを特徴とするものである。
【００１０】
この発明では、圧接部が回転留め具の外周面に滑らないように圧接してその回転留め具を回転させることができる。したがって、滑りの制限材料がない場合よりも、圧接部を小さな力で回転留め具に押し付けて、その回転留め具を容易に回転させることができる。
【００１１】
上記課題を解決する回転道具の第３の発明は、上記第１または第２の発明の特定事項に加え、前記圧接部は、回転留め具の外周面に略一致する内周面を有して、該回転留め具の外周面に相対回転不能に嵌まり込むことを特徴とするものである。
【００１２】
この発明では、圧接部の内周面を回転留め具の外周面に嵌めるだけで、圧接部と共に回転留め具を回転させることができる。したがって、回転留め具が自由に相対回転可能な場合と異なって、圧接部を無理に回転留め具に押し付けることなく、回転留め具を容易に回転させることができる。
【００１３】
上記課題を解決する回転道具の第４の発明は、上記第１から第３のいずれかの発明の特定事項に加え、前記圧接部の内周面は、回転留め具を内装可能な入口側から該回転留め具よりも小さな底側に向かって徐々に狭くなるように傾斜する傾斜面に形成されていることを特徴とするものである。
【００１４】
この発明では、外径の異なる外周面を有する回転留め具でも圧接部の内周面の傾斜面を圧接させて回転させることができる。したがって、回転留め具の大きさに応じて交換することなく、圧接部を押し付けて回転留め具を回転させることができる。
【００１５】
上記課題を解決する回転道具の第５の発明は、上記第１から第３のいずれかの発明の特定事項に加え、前記圧接部の内周面には、回転留め具を内装可能な入口側から該回転留め具よりも小さな底側に向かって徐々に狭く傾斜する傾斜リブが複数形成されていることを特徴とするものである。
【００１６】
この発明では、異形の外周面を有する回転留め具でも圧接部の内周面の傾斜リブを変形させつつ圧接させて回転させることができる。したがって、回転留め具の形状や大きさに応じて交換することなく、圧接部を押し付けて回転留め具を回転させることができる。
【発明の効果】
【００１７】
本発明によれば、絶縁棒を介して圧接部を回転留め具に被せて押し付けつつ回転させるだけで、その圧接部の弾性材料により回転留め具を破損してしまうことなく、遠隔位置から絶縁性を確保しつつ回転留め具を正逆回転させることができる。したがって、高所などにある高電圧機器の回転留め具を安全に緊締・解除する作業を容易に行うことができる。
【発明を実施するための最良の形態】
【００１８】
以下、本発明の最良の実施形態を図面に基づいて説明する。図１〜図３は本発明に係る回転道具の第一実施形態を示す図である。
【００１９】
図１および図２において、回転道具は、遠隔位置に設置されている高電圧機器の端子部に回転留め具を捩じ込んで電線を接続する作業を行う際に用いる道具であり、そのブッシングに圧接させるカップ（圧接部）１０と、このカップ１０を先端部に取り付ける絶縁棒２０と、を組み立てて使用する。
【００２０】
この回転道具は、例えば、図６に示す電柱１１１上部のトランス１１２の雄ネジ部（端子部）に、回転留め具としてブッシング１００Ａを螺合させるように回転させて緊締・解除する作業を行うことができるように設計されている。一方、ブッシング１００Ａは、図３に示すように、トランス１１２には高電圧電流が流れていることから、そのトランス１１２の雄ネジ部に螺合させる雌ネジ部１０１を絶縁材料である陶磁器製の外装部１０２Ａにより外装した状態に作製されている。
【００２１】
ブッシング１００Ａは、外装部１０２Ａが概略６角形の短尺な柱状になるように作製されたＡ社製のものであり、この外装部１０２Ａは、６角形における角部を削った形状の頂部１０３Ａと、その角部（頂部１０３Ａ）間の平面部を多少窪ませて把持し易く形成されている窪み部１０４Ａとを備えている。このブッシング１００Ａの最大外径になる頂部１０３Ａ間距離ＬＡは４９．５ｍｍに設定されている。
【００２２】
また、この回転道具は、Ａ社製のブッシング１００Ａに限らずに、例えば、図４に示すブッシング１００Ｂ、Ｃをも回転留め具としてトランス１１２の雄ネジ部に螺合させるように回転させて緊締・解除する作業を行うことができるように設計されている。このようなブッシングの外装部は、製作会社によって外形が異なっている。図４（ａ）に示すブッシング１００Ｂは、外装部１０２Ｂが概略８角形の短尺な柱状になるように作製されたＢ社製のものであり、この外装部１０２Ｂは、頂部１０３Ｂおよび窪み部１０４Ｂを備えて、頂部１０３Ｂ間距離ＬＢが６２．３ｍｍに設定されている。図４（ｂ）に示すブッシング１００Ｃは、同様に、頂部１０３Ｃおよび窪み部１０４Ｃを備える概略８角形の外装部１０２Ｃに作製されたＣ社製のものであり、この外装部１０２Ｃは、頂部１０３Ｃ間距離ＬＣが５５．２ｍｍに設定されている。
【００２３】
カップ１０は、ブッシング１００Ａ〜Ｃの外装部（外周面）１０２Ａ〜Ｃに圧接する圧接カップ１１と、この圧接カップ１１を着脱可能に収装（装着）する外装カップ１２と、この外装カップ１２の底部外面に連設されて絶縁棒２０の先端部に取り付けられるジョイント１３と、を備えている。この圧接カップ１１は、外装カップ１２やブッシング１００Ａ〜Ｃの外装部１０２Ａ〜Ｃのいずれに対しても滑らずに圧接可能なゴム材料などを成形して作製されており、外装カップ１２およびジョイント１３は、プラスチックなどの絶縁材料を成形して、あるいは、削り出して、連結することにより作製されている（一体成形などしても良い）。
【００２４】
圧接カップ１１は、ブッシング１００Ａ〜Ｃのうちで最大外形の外装部１０２Ｂの頂部１０３Ｂ間距離ＬＢに、後述する傾斜リブ１４の入口側の厚さを加えた寸法よりも、大径の内周面１１ａを有する有底の概略円筒形状に形成されている。一方、外装カップ１２は、この圧接カップ１１の外面（外周面および底部外面）に密接するように、その圧接カップ１１の外面と同一寸法に内面を形成された有底の円筒形状に形成されている。
【００２５】
また、圧接カップ１１の内周面１１ａには、ブッシング１００Ａの外装部１０２Ａの窪み部１０４Ａに対応する位置、言い換えると、等間隔の６箇所で深さ方向に延在する傾斜リブ１４が一体成形されている。
【００２６】
この傾斜リブ１４は、圧接カップ１１の内周面１１ａの中心を挟んで対面する面同士の間隔が、その圧接カップ１１の入口側から底側に向かって徐々に狭くなるように傾斜する傾斜面１４ａを備えており、この傾斜面１４ａ間（圧接カップ１１内）にブッシング１００Ａ〜Ｃの大部分を収容できるように形成されている。詳細には、傾斜リブ１４は、圧接カップ１１の入口側の対面間隔Ｗｅがブッシング１００Ａ〜Ｃのうちで最大外形の外装部１０２Ｂの頂部１０３Ｂ間距離ＬＢよりも大きく設定されているとともに、その圧接カップ１１の底側の対面間隔Ｗｂはブッシング１００Ａ〜Ｃのうちで最小の外装部１０２Ａの窪み部１０４Ａ間距離ＷＡよりも小さく設定されている。また、同時に、この傾斜リブ１４は、その対面間隔Ｗｅ、Ｗｂの寸法差を適度に小さく設定することにより、ブッシング１００Ａ〜Ｃの外装部１０２Ａ〜Ｃの外周面との圧接面積をできるだけ大きく確保することができるように設計されている。
【００２７】
これにより、カップ１０は、圧接カップ１１内にブッシング１００Ａ〜Ｃの外装部１０２Ａ〜Ｃを包むように内装することができる。そして、このカップ１０は、圧接カップ１１内にブッシング１００Ａ〜Ｃが押し込まれると、その外装部１０２Ａ〜Ｃの外周面により傾斜リブ１４が弾性変形されて傾斜面１４ａに大面積で圧接させることができ、一部に応力が集中して破損させてしまうことなく、そのブッシング１００Ａ〜Ｃを小さな力で一体回転させることができる。特に、ブッシング１００Ａでは、外装部１０２Ｂの窪み部１０４Ａに傾斜リブ１４の傾斜面１４ａを嵌まり込ませて均等に圧接させることができ、外装カップ１２の回転に対して滑ることなく連れ回って、トランス１１２の雄ネジ部に雌ネジ部１０１が螺合されて緊締されたり、その緊締が解除される。
【００２８】
また、ブッシング１００Ｂ、Ｃでは、外装部１０２Ｂ、Ｃの頂部１０３Ｂ、Ｃや窪み部１０４Ｂ、Ｃが８箇所であるのに対して、圧接カップ１１の傾斜リブ１４は６箇所であるが、この傾斜リブ１４は、上述のように入口側の対面間隔Ｗｅが最大の頂部１０３Ｂ間距離ＬＢよりも大きく、同時に、底側の対面間隔Ｗｂは最小の窪み部１０４Ａ間距離ＷＡよりも小さく設定されている。このことから、その傾斜リブ１４は、ブッシング１００Ｂ、Ｃの外装部１０２Ｂ、Ｃの外周面に適宜密接して圧接することができ、ブッシング１００Ａと同様に、外装カップ１２の回転に対して滑ることなく回転させて、トランス１１２の雄ネジ部に雌ネジ部１０１を緊締・解除させることができる。
【００２９】
すなわち、カップ１０は、ブッシング１００Ａとサイズや形状が異なっていても、圧接カップ１１を交換することなく、そのブッシング１００Ｂ、Ｃをそのまま回転させることができる。なお、この圧接カップ１１は容易に交換可能であるため、傾斜リブ１４が窪み部１０４Ｂ、Ｃに対応するように８箇所に均等配置したものに交換してもよいことはいうまでもない。
【００３０】
ジョイント１３は、外装カップ１２の底部外面に対して直交方向に開口しており、その直交方向に延在するように絶縁棒２０の先端部を差し込んで取り付けることができる。また、このジョイント１３の周面部には、絶縁棒２０側に向かって切り欠かれた後に直交方向に屈曲する切欠１３ａが一対形成されており、後述する絶縁棒２０のピン２１をその切欠１３ａ内の奥まで進入させることにより脱落不能に取り付けることができる。なお、この切欠１３ａは、図１（ｂ）においては紙面に対する表裏側に一対形成されている。
【００３１】
これにより、ジョイント１３は、圧接カップ１１内に収容するブッシング１００Ａ〜Ｃの回転軸（雌ネジ部１０１）の方向と絶縁棒２０の延長方向を一致させた状態で、その絶縁棒２０先端部にカップ１０を取り付けることができる。
【００３２】
一方、絶縁棒２０は、ジョイント１３の切欠１３ａに係合させるピン２１と、作業員が把持する基端部側の把持部２２と、中間部分に取り付けられている傘カバー２３、２４と、を備えており、全体をプラスチックなどの絶縁材料で作製されて絶縁性が確保されている。
【００３３】
ピン２１は、絶縁棒２０の先端部側面に一対立設されており、互いに反対側で突起形状に固定されることにより、カップ１０のジョイント１３の２箇所の切欠１３ａ内に進入して係合することができる。把持部２２は、滑りにくい材質の取替え可能な滑り止が施されている。傘カバー２３、２４は、中間部分における先端側と基端側の２箇所に配設されて、先端側の傘カバー２３がカップ１０側からの水分を滴下させるとともに、基端側の傘カバー２４が安全に作業を行い得る限界位置を示して、作業する際の安全を確保している。
【００３４】
ここで、絶縁棒２０は、先端部の突起２５を内蔵するスプリングの弾性力に抗して沈ませつつ、ピン２１の双方をジョイント１３の切欠１３ａ内に進入させて回転させた後に、その進入させる力を解放すると、突起２５がスプリングの弾性力により突出してジョイント１３を押し出すことにより、その切欠１３ａから屈曲する係合溝１３ｂ内にピン２１を離脱不能に係合させることができる。また、この絶縁棒２０は、中心部に刻設するネジ形状に螺合するグリップ２６を回転させてジョイント１３側に寄せることにより、ピン２１が係合溝１３ｂ内から離脱して回転しないようにロックすることができ、カップ１０が相対回転して外れてしまうことを信頼性高く防止しつつ、そのカップ１０を一体回転させることができる。
【００３５】
これにより、絶縁棒２０の把持部２２を把持して、カップ１０を電柱１１１などの高所に設置されているトランス１１２などに近接させて安全に作業することができ、カップ１０内にトランス１１２のブッシング１００Ａ〜Ｃを収装して圧接させつつ、その絶縁棒２０を捻じるように正逆回転させることにより、ブッシング１００Ａ〜Ｃの雌ネジ部１０１をトランス１１２の雄ネジ部に螺合させて緊締したり、その緊締を解除することができる。
【００３６】
このように本実施形態においては、絶縁棒２０を介して、カップ１０を高所にあるトランス１１２のブッシング１００Ａ〜Ｃに被せて押し付けつつ回転させるだけで、遠隔位置から絶縁性を確保しつつ、同時に、圧接カップ１１の弾性変形により外装部１０２Ａ〜Ｃを破損させてしまうことなく、ブッシング１００Ａ〜Ｃを正逆回転させることができ、安全かつ容易にその緊締・解除作業を行うことができる。
【００３７】
本実施形態の第１の他の態様としては、図５（ａ）に示すように、上述実施形態における傾斜リブ１４の傾斜面１４ａを円周方向に連続させた内周面（傾斜面）３１ａを備える圧接カップ３１を、外装カップ１２に装着したカップ３０を用いてもよい。この場合には、圧接カップ３１の内周面３１ａを、ブッシング１００Ａ〜Ｃの外装部１０２Ａ〜Ｃに大差なく圧接させることができ、上述実施形態と同様に、そのブッシング１００Ａ〜Ｃを外装カップ１２の回転に対して滑ることなく連れ回させて、トランス１１２の雄ネジ部に雌ネジ部１０１を螺合させて緊締し、また、その緊締を解除することができる。なお、上述実施形態では、圧接カップ１１の傾斜リブ１４を大きく変形させてブッシング１００Ａ〜Ｃの外周面に圧接させることができるのに対して、この第１の他の態様の場合には、圧接カップ３１の内周面３１ａを弾性変形させてブッシング１００Ａ〜Ｃの頭部（雌ネジ部１０１の反対側）側外周面に圧接させることになる。
【００３８】
本実施形態の第２の他の態様としては、図５（ｂ）に示すように、上述実施形態における圧接カップ１１と同様に有底の円筒形状に形成するとともに、傾斜リブ１４に代えて、平行に対面する平面４４ａを備える嵌込リブ４４が内周面４１ａに形成された圧接カップ４１を、外装カップ１２に装着したカップ４０を用いてもよい。この場合には、圧接カップ４１の嵌込リブ４４を、ブッシング１００Ａの外装部１０２Ａの窪み部１０４Ａに嵌め込んで回転不能に圧接させることができ、上述実施形態と同様に、そのブッシング１００Ａを外装カップ１２の回転に対して滑ることなく連れ回させて、トランス１１２の雄ネジ部に雌ネジ部１０１を螺合させて緊締し、また、その緊締を解除することができる。ただし、この第２の他の態様の場合には、ブッシング１００Ｂ、Ｃの緊締・解除作業を行うときには、圧接カップ４１を交換する必要がある。なお、ここでは、嵌込リブ４４の平面４４ａが、外装部１０２Ａの外周面と部分的に相似形状になるように形成してブッシング１００Ａを回転不能に嵌め込む圧接カップ４１を説明するが、これに限るものではなく、例えば、外装部の横断面形状と相似形状で開口して相対回転不能に嵌め込むことができる圧接カップを作製してもよいことはいうまでもない。
【産業上の利用可能性】
【００３９】
これまで本発明の一実施形態について説明したが、本発明は上述の実施形態に限定されず、その技術的思想の範囲内において種々異なる形態にて実施されてよいことはいうまでもない。
【図面の簡単な説明】
【００４０】
【図１】本発明に係る回転道具の一実施形態の圧接部を示す図であり、（ａ）はその圧接部の概略全体構成を示す斜視図、（ｂ）はその圧接部の一部縦断面図である。
【図２】その実施形態の絶縁棒の概略全体構成を示す平面図である。
【図３】その回転対象の回転止め具を示す図であり、（ａ）はその平面図、（ｂ）はその縦断面図である。
【図４（ａ）】その図３と異なる回転止め具を示す平面図である。
【図４（ｂ）】その図３と異なる回転止め具を示す平面図である。
【図５（ａ）】その回転道具の第１の他の態様を示す一部縦断面図である。
【図５（ｂ）】その回転道具の第２の他の態様を示す一部縦断面図である。
【図６】その回転対象の回転止め具の使用箇所を説明する立面図である。
【符号の説明】
【００４１】
１０、３０、４０    カップ
１１、３１、４１    圧接カップ
１１ａ、３１ａ、４１ａ    内周面
１２    外装カップ
１３    ジョイント
１４    傾斜リブ
１４ａ    傾斜面
２０    絶縁棒
４４    嵌込リブ
４４ａ    平面
１００Ａ〜Ｃ    ブッシング
１０１    雌ネジ部
１０２Ａ〜Ｃ    外装部
１０３Ａ〜Ｃ    頂部
１０４Ａ〜Ｃ    窪み部
１１１    電柱
１１２    トランス
Ｄ    電線
【図１】
2006006018.tif 000003
【図２】
2006006018.tif 000004
【図３】
2006006018.tif 000005
【図４（ａ）】
2006006018.tif 000006
【図４（ｂ）】
2006006018.tif 000007
【図５（ａ）】
2006006018.tif 000008
【図５（ｂ）】
2006006018.tif 000009
【図６】
2006006018.tif 000010